(57)【要約】【課題】  防振シフトレンズ群近傍に配置される光量変動手段へ電気を供給するフレキシブル基板を最適に配置する。【解決手段】  防振レンズ手段２の開口を通過し突出させるように入射光量変動駆動手段４を配置し、入射光量変動駆動手段４への電気供給手段９であるフレキシブル基板を防振レンズ手段２に干渉しないように光軸直交方向に移動させ、全ての構成部品を保持するベース手段６の外面に排出し、そこでフレキシブル基板とベース手段６を固定した後、フレキシブル基板を光軸後方へ這いまわす。【選択図】  図１
2010145700.tif 000002
【特許請求の範囲】
【請求項１】
レンズ手段（１）と、前記レンズ手段（１）を保持するレンズ保持手段（２）と、入射光量変動手段（３）と、を具備し、前記入射光量変動手段（３）はベース手段（６）に保持され、前記レンズ保持手段（２）は前記入射光量変動手段（３）と光軸前方向又は後方向に配置され、かつ、前記入射光量変動手段（３）に具備される入射光量変動駆動手段（４）と前記レンズ保持手段（２）は光軸方向に対して同一面にあり、前記レンズ保持手段（２）は前記ベース手段（６）及び前記入射光量変動手段（３）に対して光軸直交方向に対して移動可能であって、前記入射光量変動駆動手段（４）が前記レンズ保持手段（２）に対して光軸前方または後方へ完全に突出した位置に前記入射光量変動駆動手段（４）に電気を供給する電気供給手段（９）が配置され、前記電気供給手段（９）は光軸直交方向に前記ベース手段（６）外面に導かれた後、光軸方向にガイドされることを特徴とする防振機構。
【請求項２】
請求項１に記載の防振機構において、前記入射光量変動駆動手段（４）は、光を遮断するシャッタ駆動手段であることを特徴とする防振機構。
【請求項３】
請求項１に記載の防振機構において、前記入射光量変動駆動手段（４）は、光量を変更する絞り駆動手段であることを特徴とする防振機構。
【請求項４】
請求項１に記載の防振機構において、前記電気供給手段（９）がベース手段（６）の外面に配置された場所で、前記電気供給手段（９）をベース手段（６）に保持する電気供給手段固定部材（６ａ）が配置されていることを特徴とする防振機構。
【請求項５】
前記レンズ保持手段（２）を駆動する駆動源に電気を供給する防振電気供給手段（１１）を有し、前記防振電気供給手段（１１）は防振電気供給保持手段（１０）に保持され、前記防振電気供給保持手段（１０）は前記ベース手段（６）に固定され、前記防振電気供給手段（１１）は防振電気供給保持手段（１０）に具備される防振電気供給保持部（１０ａ）に保持され、さらに前記ベース手段（６）に具備される前記電気供給手段固定部材（６ａ）により保持されることを特徴とする防振機構。
【請求項６】
請求項１から請求項５のいずれかに記載された防振機構を備えることを特徴とする撮影装置。
【発明の詳細な説明】
【技術分野】
【０００１】
本発明はフィルムカメラやデジタルカメラ等に備えられた防振機構及び防振機構を有する撮影装置に関するものである。
【背景技術】
【０００２】
従来から銀塩フィルムを用いるフィルムカメラは広く普及しているが、近年、フィルムを使用せずに画像をメモリに取り込むことができるデジタルカメラが急速に普及している。このデジタルカメラの中には、複数の光学レンズを光軸方向に移動させ撮影倍率を変更するズーム機構を備えるものがある。ズーム鏡筒の構成の一例を特開２００１−３２４６６３号公報に示す。
【０００３】
複数のレンズを保持する複数のレンズ保持手段をカムリングで光軸方向に移動させ、なおかつ回転規制手段によりレンズ保持手段の回転方向への移動を規制している。この構成により光学レンズを指定の位置に移動させることができる。
【０００４】
近年では高倍率化が急速に進展している。高倍率化にともなって、繰出し状態のときにカメラの操作者による振動、いわゆる手振れが原因で撮影した写真がボケてしまうという現象が発生する。その対策として様々な方法が取られている。鏡筒の群内の一つのレンズ群を手振れに同期させて振れを打ち消すように光軸直交方向に移動させる方法や、特開２００８−１６０１７５号公報に示すように撮像素子であるＣＣＤやＣＭＯＳを振れを打ち消すように光軸直交方向に移動させる方法がある。
【特許文献１】特開２００１−３２４６６３号公報
【特許文献２】特開２００８−１６０１７５号公報
【発明の開示】
【発明が解決しようとする課題】
【０００５】
通常、防振機構を動作させるには電気部品により駆動力を発動させて移動させることになるが、撮影レンズ鏡筒の内部に防振機構を配置した場合、その駆動源に電気を供給するための配線が必要となり、この配線が防振機構の妨げになってはいけない。
【０００６】
通常この配線は柔軟性の有るシート状のフレキシブル基板によって行っている。
【０００７】
また、近くにシャッタや絞り用のアクチュエータがある場合では、そのアクチュエータに対して電気を供給する必要があり、そのときもフレキシブル基板を使用するのが一般的である。
【０００８】
いずれのフレキシブル基板も通常は後方へ引き出し、そのまま後ろ側に這いまわすのが一般的であるが、防振機構に影響を与えないよう周辺を大きく逃がす必要があり、スペース上の制約があった。
【課題を解決するための手段】
【０００９】
上記の目的を達成するために本発明の第１の防振機構は、レンズ手段（１）と、前記レンズ手段（１）を保持するレンズ保持手段（２）と、入射光量変動手段（３）と、を具備し、前記入射光量変動手段（３）はベース手段（６）に保持され、前記レンズ保持手段（２）は前記入射光量変動手段（３）と光軸前方向又は後方向に配置され、かつ、前記入射光量変動手段（３）に具備される入射光量変動駆動手段（４）と前記レンズ保持手段（２）は光軸方向に対して略同一面にあり、前記レンズ保持手段（２）は前記ベース手段（６）及び前記入射光量変動手段（３）に対して光軸直交方向に対して移動可能であって、前記入射光量変動駆動手段（４）が前記レンズ保持手段（２）に対して光軸前方または後方へ完全に突出した位置に前記入射光量変動駆動手段（４）に電気を供給する電気供給手段（９）が配置され、前記電気供給手段（９０）は光軸直交方向に前記ベース手段（６）外面に導かれた後、光軸方向にガイドされることである。
【００１０】
上記の目的を達成するために本発明の第２の防振機構は、請求項１において、前記入射光量変動駆動手段（４）は、光を遮断するシャッタ駆動手段である。
【００１１】
上記の目的を達成するために本発明の第３の防振機構は、請求項１において、前記入射光量変動駆動手段（４）は、光量を変更する絞り駆動手段である。
【００１２】
上記の目的を達成するために本発明の第４の防振機構は、請求項１において、前記電気供給手段（９）がベース手段（６）の外面に配置された場所で、前記電気供給手段（９）をベース手段（６）に保持する電気供給手段固定部材（６ａ）が配置されていることである。
【００１３】
上記の目的を達成するために本発明の第５の防振機構は、前記レンズ保持手段（２）を駆動する駆動源に電気を供給する防振電気供給手段（１１）を有し、前記防振電気供給手段（１１）は防振電気供給保持手段（１０）に保持され、前記防振電気供給保持手段（１０）は前記ベース手段（６）に固定され、前記防振電気供給手段（１１）は防振電気供給保持手段（１０）に具備される防振電気供給保持部（１０ａ）に保持され、さらに前記ベース手段（６）に具備される前記電気供給手段固定部材（６ａ）により保持されることである。
【００１４】
上記の目的を達成するために本発明の撮影装置は、請求項１から請求項５のいずれかに記載された防振機構を備えることである。
【発明の効果】
【００１５】
本発明は、上記構成としたので、請求項１に記載の発明では、ベースに絞りシャッタが固定されており、それらに対して防振レンズが駆動する場合、シャッタや絞りのアクチュエータが防振レンズを保持するレンズホルダーを突き抜けて突出させ、突出させた面にシャッタや絞りのフレキシブル基板を配置し、フレキシブル基板の這いまわしを光軸直交方向に移動させてベースの外面まで這い出させ、その後ベースの外面を伝わって後方へ這わせることでフレキシブル基板の防振レンズへ与える影響を除去することができる。
【００１６】
本発明は、上記構成としたので、請求項２に記載の発明では、請求項１においてアクチュエータはシャッタであることで、シャッタに供給するフレキシブル基板の防振レンズへ与える影響を除去することができる。
【００１７】
本発明は、上記構成としたので、請求項３に記載の発明では、請求項１においてアクチュエータは絞り駆動手段であることで、絞りに供給するフレキシブル基板の防振レンズへ与える影響を除去することができる。
【００１８】
本発明は、上記構成としたので、請求項４に記載の発明では、フレキシブル基板がベースに対して外部に這い出したところでフレキシブル基板をベースに対して固定することで、フレキシブル基板の余計なたるみや動作を防止し、フレキシブル基板の防振レンズへ与える影響を除去することができる。
【００１９】
本発明は、上記構成としたので、請求項５に記載の発明では、防振レンズの駆動源に電気を与えるためのフレキシブル基板を保持する保持手段がベースに対して固定されており、フレキシブル基板はさらにシャッタや絞りに電気を供給するフレキシブル基板をベースに固定する固定部にたいしても一緒に固定することによってフレキシブル基板の防振レンズへ与える影響を除去することができる。
【００２０】
本発明は、上記構成としたので、請求項６に記載の発明では、請求項１から請求項５のいずれかにおいて、いずれかに記載された防振機構を備えることにより、防振機構を備える撮影装置を実現できる。
【発明を実施するための最良の形態】
【００２１】
次に、本発明の詳細を実施例の記述に従って説明する。
【実施例１】
【００２２】
以下、本発明を図示の実施例に基づいて詳細に説明する。
【００２３】
図５から図９には、本形態に係る撮像装置を備える機器としてデジタルカメラが示されている。本実施例で示すデジタルカメラ１２は撮影倍率を変更できるズーム機構を有するカメラである。
【００２４】
図５は当該デジタルカメラ１２の電源をＯＦＦにした状態を示した外観斜視図である。図６は当該デジタルカメラ１２の電源をＯＮにした状態を示した外観斜視図である。
【００２５】
図７は上面図を示しており、図８は背面図を示しており、図９は底面図を示している。
【００２６】
図１０には当該デジタルカメラ１２の腰部構成を示している。
【００２７】
本形態のデジタルカメラの正面には被写体の構図を決めるファインダ１７、測光測距を行う場合の光源の補助を行う補助光１６、ストロボ１８、撮影レンズ鏡筒手段４８が構成されている。
【００２８】
上面にはレリーズボタン１３、電源切換えボタン１５、ズーム切換えスイッチ１４、底面には三脚取付部２７、メモリーカードドライブ４２及びバッテリー挿入部（不図示）が内部に具備されているカードバッテリーカバー２８が配置されている。
【００２９】
背面には操作ボタン２１，２２，２３，２４，２５，２６が配置され様々な機能切換えを行うことができる。ＬＣＤより成るディスプレイ２０、ファインダ接眼部１９が配置されている。
【００３０】
操作ボタン２１，２２，２３，２４，２５，２６によりデジタルカメラの動作モード、例えば撮影モード、再生モード、動画撮影モード等の選択を行う。
【００３１】
ディスプレイ２０は、画像表示手段であり、メモリ４０に保存された画像データやメモリーカードから読み込んだ画像データを画面上に表示する。また、モードを選択すると複数の撮影データを縮小して画面表示したりすることもできる。
【００３２】
制御部はＣＰＵ４６、ＲＯＭ４５、ＲＡＭ４７で構成され、バス４４を介してレリーズボタン１３、操作ボタン２１〜２６、ディスプレイ２０、メモリ４０、メモリーカードドライブ４２等の各種構成要素が接続されている。
【００３３】
バス４４を介して制御系と接続する駆動回路４３には、ズームモーター駆動手段２９、フォーカスモーター駆動手段３１、シャッタ駆動手段３２、絞り駆動手段３５、ＣＣＤやＣＭＯＳ等の撮像素子３７、ストロボ１８が接続されており、制御系からの信号により各々の駆動を制御することになる。
【００３４】
ＲＯＭ４５には上述の各機能構成要素を制御するプログラムが記憶されている。ＲＡＭ４７には各制御プログラムに必要なデータが記憶されている。
【００３５】
以上のように本発明の第一の実施例は構成されているが、使用者が電源切り替えボタン１５を操作することで電源をＯＦＦからＯＮにすると、ＣＰＵ４６はＲＯＭ４５から必要な制御プログラムを読み出して初期動作を開始する。つまり撮影レンズ鏡筒４８を所定の撮影可能領域に移動させ、撮影機能を立ち上げて、撮影スタンバイ状態になる。
【００３６】
撮影を行うためにレリーズボタン１３を押すと、撮像素子３７により被写体の明るさを検知し、その測光値に基づき絞り値やシャッタスピード、またストロボ１８を発光するかどうかを判断する。また、あらかじめ操作ボタン２１によって使用者がストロボ１８を強制的に発光させるか、発光させないかを選択することもできる。次に測距を行い、被写体との距離を測定してフォーカスモーター駆動手段３１を駆動することにより所定のフォーカス位置へフォーカス手段３０を移動させる。次にシャッタ手段３３の開閉を行い、所望の画像を撮像素子３７に取り込む。
【００３７】
撮像素子３７には、露光制御値に基づいて入射した光の光量に応じた電荷が蓄積され、その電荷が画像信号となり、アナログ信号処理手段３６へと出力される。
【００３８】
アナログ信号処理手段３６では、取り込まれた画像データにアナログ処理を施し、Ａ／Ｄ変換部３８に出力する。Ａ／Ｄ変換部３８では取り込まれたアナログデータをデジタルデータに変換する。このデジタルデータをデジタル信号処理手段３９に出力し、ここでデジタルデータの処理を行う。最終的にデジタルデータはメモリ４０に記憶されることになる。
【００３９】
メモリ４０に記憶されたデータは操作ボタン２２の操作によって圧縮伸張手段４１によりＪＰＥＧやＴＩＦＦ等の圧縮加工等を施しメモリーカードに出力され記憶される。
【００４０】
またメモリ４０を持たないデジタルカメラの場合デジタル信号処理手段３９で処理されたデジタルデータを圧縮伸張手段４１に出力し、メモリーカードドライブ４２へ記憶させることになる。
【００４１】
メモリ４０に記憶された画像データやメモリーカードドライブ４２に記憶されている画像データを圧縮伸張手段４１によって伸張処理を行い、その画像データをバス４４を介してディスプレイ２０に表示させることができる。このディスプレイ２０上のデータを使用者が見ることで、その画像が不必要であると判断すると使用者は操作ボタン２３の操作によって消去することができる。
【００４２】
上面にはズームスイッチ１４が配置されており、ズームスイッチ１４を操作することにより駆動回路４３を介してズームモーター駆動手段２９を制御することにより撮影レンズ鏡筒２をレンズの光軸方向に移動させる。また、ディスプレイ２０上に表示されている記憶画像をズームスイッチ１４の操作で拡大及び縮小、いわゆるデジタルズームを行うことができる。
【００４３】
次に、本形態に係るデジタルカメラ１２に備えられた撮影レンズ鏡筒４８に具備されている防振機構の構成について説明する。
【００４４】
図１は当該防振機構の斜視図を示している。図２は当該防振機構の断面図を示している。図３は当該防振機構の分解斜視図を示している。図４は当該防振機構の別の斜視図を示している。
【００４５】
防振用のレンズであるレンズ手段１をレンズ保持手段２が保持している。
【００４６】
ベース手段６の光軸背面にはシャッタ手段及び絞り手段が一体となったシャッタ絞り手段３が配置されており、ベース手段６に対してスナップフィットで一体的に固定されている。シャッタ絞り手段３の背面には電気的に動作するシャッタ駆動手段４が備わっており、光軸前方には入射光量を可変させる絞り駆動手段５が具備されている。
【００４７】
防振レンズ保持手段２はシャッタ絞り手段３に対して光軸後方に配置されており、光軸直交方向に作動できるように保持されている。このとき、防振レンズ保持手段２のレンズ手段１近傍に開口が設けられており、シャッタ駆動手段４がこの開口に挿入されるようになっている。
【００４８】
シャッタ駆動手段４の最後端面がレンズ保持手段２の背面より突き出た状態になっており、シャッタ駆動手段４に電気を供給するフレキシブル基板である電気供給手段９がこのシャッタ駆動手段４が突き出た面に配置されている。この電気供給手段９は本実施形の防振機構の光軸後方に向かって這いまわす必要があるが、単純に後方へ伸ばした場合、レンズ保持手段２に干渉するおそれがあり、また、干渉を回避するためにレンズ保持手段２の形状を大きく退避する等、設計要件に制約が発生してしまう。
【００４９】
そこで、図２に示すように電気供給手段９をシャッタ駆動手段４の後端の面に対して光軸直交方向に展開し、ベース手段６に設けられた開口７を通過させてベース手段６の外面へ這い出させる。電気供給手段９にはチョウチョ形状の電気供給被固定手段が設けられており、ベース手段６の外面において、ベース６上に具備される電気供給手段固定部材６ａによってベース６に保持される。電気供給手段９がベース手段６に固定された後、電気供給手段９を光軸後方へ這わせ、ベース６上の開口８を通過させて、そのまま後方へ展開する。電気供給手段９はベース手段６の光軸前方に配置されている絞り駆動手段５にも同時に電気を供給することができる。
【００５０】
以上の構成をとると電気供給手段９はレンズ保持手段２の背面を光軸直交方向へ向かって這わせてあり、光軸方向へ動かないように保持されているので、レンズ保持手段２が防振機能作動時に光軸直交方向へ動作してもレンズ保持手段２への干渉を防止できる。
【００５１】
レンズ保持手段２の防振機能を作動させるための防振電気供給手段１１がレンズ保持手段２の前方に配置され、防振電気供給手段１１は防振電気供給保持手段１０に固定された後、防振電気供給手段１０がベース手段６にスナップフィットで固定されることで保持される。フレキシブル基板で構成されている防振電気供給手段１１もレンズ保持手段２に干渉しないように配慮する必要がある。そこで防振電気供給手段１１にチョウチョ形状の被防振電気固定手段１１ａが具備され、防振電気供給保持手段１０に一体で形成されている防振電気供給保持部１０ａに固定された後、ベース６の外面を伝って光軸後方へ這いまわされ、前述の電気供給手段固定部材６ａに保持された後、開口８を通過してさらに後方へ伝っていく。
【００５２】
つまり、電気供給手段固定部材６ａには電気供給手段９と防振電気供給手段１１の両方が同時に保持されることになる。
【００５３】
なお、ここでは入射光量変動駆動手段４をシャッタ駆動手段であるとしているが、絞り駆動手段であっても良い。
【００５４】
このときの絞りは複数の羽根を駆動して開口を制御する虹彩絞りでも、入射光量を制限するフィルタ絞りでも成立する。
【００５５】
図１１に本発明の防振機構を具備する撮影装置であるデジタルカメラの電源ＯＮから撮影終了までのフローチャートを示す。使用者が撮影装置の電源をＯＮすると、ＣＰＵ４６よりズームモーター駆動手段２９に指令を送り、鏡筒駆動モーターをＣＷ回転させる。その後所定の動作を行い、撮影レンズ鏡筒手段２が撮影位置に移動したことが確認できたら停止させる。このとき図５の状態から図６の状態へレンズ鏡筒の状態は変化する。
【００５６】
次に使用者がレリーズボタン１３をＯＮすると、測光を行い、被写体の輝度情報を得る。得られた輝度情報が既定の輝度より高輝度の場合、絞り手段３４を光軸内に侵入させ、入射光量を変化させる。得られた輝度情報が既定の輝度より低輝度の場合、絞り手段３４の動作は行わず光軸より退避した状態にしておく。
【００５７】
その後フォーカス手段３０を作動させて、被写体のピントが合う位置へ移動させ、そこで画像の取り込みを開始する。次にシャッタ手段３３を開状態から閉状態へ移動させ、入射光量を遮り、画像取り込みは終了となる。その後絞り手段３４を光軸から退避させ、フォーカス手段３０を初期位置に移動させて動作終了となる。
【図面の簡単な説明】
【００５８】
【図１】本発明の一実施例における防振機構の斜視図である。
【図２】本発明の一実施例における防振機構の断面図である。
【図３】本発明の一実施例における防振機構の分解斜視図である。
【図４】本発明の一実施例における防振機構の斜視図である。
【図５】本発明の一実施例における防振機構を有する撮影装置の電源ＯＦＦ状態の斜視図である。
【図６】本発明の一実施例における防振機構を有する撮影装置の電源ＯＮ状態の斜視図である。
【図７】本発明の一実施例における防振機構を有する撮影装置の上面図である。
【図８】本発明の一実施例における防振機構を有する撮影装置の背面図である。
【図９】本発明の一実施例における防振機構を有する撮影装置の底面図である。
【図１０】本発明の一実施例における防振機構を有する撮影装置であるデジタルカメラの構成の要部を示すブロック図である。
【図１１】本発明の一実施例における防振機構を有する撮影装置であるデジタルカメラの電源ＯＮから撮影時のシーケンスを示すフローチャートである。
【符号の説明】
【００５９】
１    レンズ手段
２    レンズ保持手段
３    入射光量変動手段
４    入射光量変動駆動手段
５    絞り駆動手段
６    ベース手段
６ａ  電気供給手段固定部材
７    開口７
８    開口８
９    電気供給手段
１０  防振電気供給保持手段
１１  防振電気供給手段
１２  撮影装置（デジタルカメラ）
１３  レリーズボタン
１４  ズームスイッチ
１５  電源切変えボタン
１６  補助光
１７  ファインダ
１８  ストロボ
１９  ファインダー接眼部
２０  ディスプレイ
２１〜２６  操作ボタン
２７  三脚取付部
２８  カードバッテリーカバー
２９  ズームモーター駆動手段
３０  フォーカス手段
３１  フォーカスモーター駆動手段
３２  シャッタ駆動手段
３３  シャッタ手段
３４  絞り手段
３５  絞り駆動手段
３６  アナログ信号処理手段
３７  撮像素子
３８  Ａ／Ｄ変換部
３９  デジタル信号処理手段
４０  メモリ
４１  圧縮伸張手段
４２  メモリーカードドライブ
４３  駆動回路
４４  バス
４５  ＲＯＭ
４６  ＣＰＵ
４７  ＲＡＭ
４８  レンズ鏡筒
【図１】
2010145700.tif 000003
【図２】
2010145700.tif 000004
【図３】
2010145700.tif 000005
【図４】
2010145700.tif 000006
【図５】
2010145700.tif 000007
【図６】
2010145700.tif 000008
【図７】
2010145700.tif 000009
【図８】
2010145700.tif 000010
【図９】
2010145700.tif 000011
【図１０】
2010145700.tif 000012
【図１１】
2010145700.tif 000013